(57)【要約】【課題】電気泳動素子に対する十分な防湿性を確保しつつ狭額縁化を実現し得る電気泳動表示装置および電子機器電気光学装置、電気光学装置の駆動方法、電子機器を提供する。【解決手段】本発明の電気泳動表示装置は、第１基板と第２基板との間に電気泳動層が挟持されてなる電気泳動素子と、前記第１基板の前記電気泳動層とは反対側の面上に配置される第１の防湿フィルムと、前記第１基板および前記第２基板の外側にそれぞれ配置される一対のカバーシートと、前記一対のカバーシート間に配置され前記電気泳動素子の周囲を囲むコアシートと、少なくとも前記第１の防湿フィルムと前記コアシートと一方の前記カバーシートとが基板面方向で重畳し互いに貼り合わされてなる封止部と、を備える。【選択図】図１
2011158702.tif 000002
【特許請求の範囲】
【請求項１】
第１基板と第２基板との間に電気泳動層が挟持されてなる電気泳動素子と、
前記第１基板の前記電気泳動層とは反対側の面上に配置される第１のカバーシートと、
前記第２基板の前記電気泳動層とは反対側の面上に配置される第２のカバーシートと、
前記電気泳動素子の周囲を囲むようにして前記第１のカバーシート及び第２のカバーシート間に配置されるコアシートと、
前記第１基板と前記第１のカバーシートとの間に配置される第１の防湿フィルムと、を有し、
前記電気泳動素子を封止する封止領域では、少なくとも前記第１の防湿フィルムの周縁部と前記コアシートと前記第１及び第２のカバーシートとが互いに重畳していることを特徴とする電気泳動表示装置。
【請求項２】
第１基板と第２基板との間に電気泳動層が挟持されてなる電気泳動素子と、
前記第１基板の前記電気泳動層とは反対側の面上に配置される第１のカバーシートと、
前記第２基板の前記電気泳動層とは反対側の面上に配置される第２のカバーシートと、
前記電気泳動素子の周囲を囲むようにして前記第１のカバーシート及び第２のカバーシート間に配置されるコアシートと、
前記第１基板と前記第１のカバーシートとの間に配置される第１の防湿フィルムと、
前記第２基板と前記第２のカバーシートとの間に配置される第２の防湿フィルムと、を有し、
前記電気泳動素子を封止する封止領域では前記第１及び第２の防湿フィルムの周縁部と前記コアシートと前記第１及び第２のカバーシートとが互いに重畳していることを特徴とする電気泳動表示装置。
【請求項３】
前記第１の防湿フィルムの前記周縁部、又は、前記第１および第２の防湿フィルムの前記周縁部どうしが、前記第１のカバーシートと前記コアシートとの間に配置されていることを特徴とする請求項１または２記載の電気泳動表示装置。
【請求項４】
前記第１の防湿フィルムの前記周縁部、又は、前記第１および第２の防湿フィルムの前記周縁部どうしが、前記第２のカバーシートと前記コアシートとの間に配置されていることを特徴とする請求項１または２記載の電気泳動表示装置。
【請求項５】
前記コアシートが厚さ方向に積層された一対のコア材からなり、これらコア材どうしの間に前記第１の防湿フィルムの前記周縁部と前記第２の防湿フィルムの前記周縁部とが配置されていることを特徴とする請求項２記載の電気泳動表示装置。
【請求項６】
前記第２基板がガラス基板からなり、
少なくとも前記第１の防湿フィルムの前記周縁部が前記コアシートと前記第２のカバーシートとの間に配置されていることを特徴とする請求項１から３のいずれか一項に記載の電気泳動表示装置。
【請求項７】
前記第１の防湿フィルムの前記周縁部が前記第２のカバーシートに直接貼り合わされていることを特徴とする請求項６記載の電気泳動表示装置。
【請求項８】
少なくとも前記第１の防湿フィルムと前記第２のカバーシートとが同じ材料あるいは融点が近い材料からなり、
前記第１の防湿フィルムと前記第２のカバーシートとが熱溶着によって接着されていることを特徴とする請求項１から７のいずれか１項に記載の電気泳動表示装置。
【請求項９】
請求項１から８のいずれか１項に記載の電気光学装置を備えたことを特徴とする電子機器。
【発明の詳細な説明】
【技術分野】
【０００１】
本発明は、電気泳動表示装置および電子機器に関するものである。
【背景技術】
【０００２】
代表的な電子ペーパーであるマイクロカプセル型の電気泳動表示装置は、帯電粒子が分散した溶媒をマイクロカプセルに封入し、マイクロカプセルの上下に形成した電極に電圧印加して電界を発生させることにより帯電粒子の分布を変化させてコントラストを得る表示体である。電圧印加を停止しても静電気力や分子間力によって引きつけられた帯電粒子が電極付近に留まることから、電力を消費せずに表示画像を保持し続けられるという特長を有する。さらに、液晶ディスプレイのような透過光や有機ＥＬディスプレイのような発光ではなく、帯電粒子や溶媒そのものの色（反射光）を観察するため、視野角の依存がなく紙のように目に優しく長時間の凝視にも耐えられるといった利点がある。このような特徴を活かし、表示機能付きカードへの応用、さらに、フレキシブル化による曲面ディスプレイ等への応用が期待されている。
【０００３】
ＥＰＤ（電気泳動表示装置）をはじめとするフレキシブルモジュールは、屈曲性の高さという特長を活かして曲げた状態で表示を行う製品、例えばリング形状時計への応用が実現されている。さらに、曲面ディスプレイに代表される形状固定型モジュールだけでなく、屈曲性をより活かした、繰り返し曲げに耐えうる製品、例えば表示機能付きカード等を視野に入れた開発が進められている。
このような表示機能付きカードにＥＰＤモジュールを内蔵する場合、カード規格に準拠する厚み（総厚０．７６±０．０８μm以下）を実現するための薄型化のみならず、限られたエリア（５４．０×８５．６ｍｍ）を有効活用する表示、すなわち狭額縁化を実現することが非常に重要である。
通常ＥＰＤには、電気泳動材料中に存在する水分量が変化することに伴って表示特性も変化してしまうといった課題がある。
【０００４】
そこで、従来のＥＰＤモジュールにおいては周辺環境信頼性を確保する目的で、たとえば特許文献１に示されているような防湿構造が提案されている。また、ＩＣチップ等の電子デバイスを内蔵するカード製品においては、実使用を想定した曲げや落下衝撃に耐えられる構造として特許文献２に示されるような実装構造が提案されている。
【先行技術文献】
【特許文献】
【０００５】
【特許文献１】特開２００７−７２１２８号公報
【特許文献２】特開２００１−１０１３７５号公報
【発明の概要】
【発明が解決しようとする課題】
【０００６】
しかしながら、このカード実装構造に従来のＥＰＤモジュールを適用した場合、表示エリアからカード端までの長さはＥＰＤモジュールの防湿性を確保するために必要な表示エリアから防湿封止部端までのＥＰＤ封止幅と、カード実装において必要なカード封止幅（ＥＰＤモジュールを内蔵して周辺固定するために必要な接着固定幅）と、の両方を足し合わせた額縁幅が必要となり、狭額縁構造の実現は極めて困難である。すなわち、限られた表示エリアの有効活用が要求されるカード等の商品においては、額縁幅の広がりは著しく商品性を低下させてしまうといった課題がある。
【０００７】
本発明は、上記従来技術の問題点に鑑み成されたものであって、電気泳動素子に対する十分な防湿性を確保しつつ狭額縁化を実現し得る電気泳動表示装置および電子機器を提供することを目的の一つとしている。
【課題を解決するための手段】
【０００８】
本発明の電気泳動表示装置は、上記課題を解決するために、第１基板と第２基板との間に電気泳動層が挟持されてなる電気泳動素子と、前記第１基板の前記電気泳動層とは反対側の面上に配置される第１のカバーシートと、前記第２基板の前記電気泳動層とは反対側の面上に配置される第２のカバーシートと、前記電気泳動素子の周囲を囲むようにして前記第１のカバーシート及び第２のカバーシート間に配置されるコアシートと、前記第１基板と前記第１のカバーシートとの間に配置される第１の防湿フィルムと、を有し、前記電気泳動素子を封止する封止領域では、少なくとも前記第１の防湿フィルムの周縁部と前記コアシートと前記第１及び第２のカバーシートとが互いに重畳していることを特徴とする。
【０００９】
本発明によれば、少なくとも第１の防湿フィルムとコアシートと第１及び第２のカバーシートとが互いに重畳していることから、電気泳動素子を封止する封止領域において第１の防湿フィルムの周縁部とコアシートとカバーシートとが互いに重畳していない従来の構成に比べて額縁幅を大幅に狭くすることが可能となる。
したがって、電気泳動素子に対する十分な防湿性を確保しつつ狭額縁化を実現し得る電気泳動表示装置を提供することができる。
【００１０】
本発明の電気泳動表示装置は、上記課題を解決するために、第１基板と第２基板との間に電気泳動層が挟持されてなる電気泳動素子と、前記第１基板の前記電気泳動層とは反対側の面上に配置される第１のカバーシートと、前記第２基板の前記電気泳動層とは反対側の面上に配置される第２のカバーシートと、前記電気泳動素子の周囲を囲むようにして前記第１のカバーシート及び第２のカバーシート間に配置されるコアシートと、前記第１基板と前記第１のカバーシートとの間に配置される第１の防湿フィルムと、前記第２基板と前記第２のカバーシートとの間に配置される第２の防湿フィルムと、を有し、前記電気泳動素子を封止する封止領域では前記第１及び第２の防湿フィルムの周縁部と前記コアシートと前記第１及び第２のカバーシートとが互いに重畳していることを特徴とする。
【００１１】
本発明によれば、第１の防湿フィルムと第２の防湿フィルムとコアシートと第２のカバーシートとが互いに重畳していることから、電気泳動素子を封止する封止領域において第１及び第２の防湿フィルムの周縁部とコアシートと第１及び第２のカバーシートとが互いに重畳していない従来の構成に比べて額縁幅を大幅に狭くすることができる。また、第２基板側にも第２の防湿フィルムを設けたことから、第１の防湿フィルム及び第２の防湿フィルムとにより電気泳動素子の厚さ方向両側の防湿性が確保されて、電気泳動素子に対する防湿性が高まる。
したがって、電気泳動素子に対する十分な防湿性を確保しつつ狭額縁化を実現し得る電気泳動表示装置を提供することができる。
【００１２】
また、前記第１の防湿フィルムの前記周縁部、又は、前記第１および第２の防湿フィルムの前記周縁部どうしが、前記第１のカバーシートと前記コアシートとの間に配置されていることが好ましい。
【００１３】
本発明によれば、第１の防湿フィルムの周縁部、又は、第１および第２の防湿フィルムの周縁部どうしが、第１のカバーシートとコアシートとの間に配置されているため、電気泳動素子に対する防湿性を長期的に維持することができる。また、製造時に第２のカバーシート上にコアシートを先に配置してから電気泳動素子を配置することができる。
【００１４】
また、前記第１の防湿フィルムの前記周縁部、又は、前記第１および第２の防湿フィルムの前記周縁部どうしが、前記第２のカバーシートと前記コアシートとの間に配置されていることが好ましい。
【００１５】
本発明によれば、第１の防湿フィルムの周縁部、又は、第１及び第２の防湿フィルムの周縁部どうしが、第２のカバーシートとコアシートとの間に配置されているため、電気泳動素子に対する防湿性を長期的に維持することができる。また、製造時に第２のカバーフィルム上に電気泳動素子を先に配置してからコアシートを配置することができる。
【００１６】
また、前記コアシートが厚さ方向に積層された一対のコア材からなり、これらコア材どうしの間に前記第１の防湿フィルムの前記周縁部と前記第２の防湿フィルムの前記周縁部とが配置されていることが好ましい。
【００１７】
本発明によれば、電気泳動表示装置を湾曲した場合にコア材と防湿フィルムとの間に応力がかかりにくくなる。これにより、電気泳動表示装置の耐久性が向上し高信頼性となる。
【００１８】
また、前記第２基板がガラス基板からなり、少なくとも前記第１の防湿フィルムの前記周縁部が前記コアシートと前記第２のカバーシートとの間に配置されていることが好ましい。
【００１９】
本発明によれば、第１の防湿フィルムと第２のカバーシートとで電気泳動素子の封止を行うことができる。ガラス基板は防湿性が高いため第２基板側の第２の防湿フィルムを省くことが可能となる。また、第１の防湿フィルムの周縁部を第２のカバーシート側に配置することで電気泳動素子の側方を第１の防湿フィルムで覆うことができ、電気泳動素子の周方向における防湿性も第１の防湿フィルムで十分に確保される。
【００２０】
また、前記第１の防湿フィルムの前記周縁部が前記第２のカバーシートに直接貼り合わされていることが好ましい。
【００２１】
本発明によれば、第１の防湿フィルムの周縁部が第２基板側のカバーシートに直接貼り合わされていることから、部材同士の接着部分が少なくなるので防湿性が向上する。
【００２２】
また、少なくとも前記第１の防湿フィルムと前記第２のカバーシートとが同じ材料あるいは融点が近い材料からなり、前記第１の防湿フィルムと前記第２のカバーシートとが熱溶着によって接着されていることが好ましい。
【００２３】
本発明によれば、少なくとも第１の防湿フィルムと第２のカバーシートとが熱溶着によって接着されていることから、接着剤等を介すことなく部材どうしを直接接着させることができる。これにより、製造が容易になるとともに封止性がより一層向上する。
【００２４】
本発明の電子機器は、本発明の電気光学装置を備えたことを特徴とする。
本発明によれば、電気泳動素子に対する十分な防湿性を確保しつつ狭額縁化を実現し得る表示部を備えたことにより、信頼性に優れた電子機器となる。
【図面の簡単な説明】
【００２５】
【図１】ＩＣカードを示す分解斜視図。
【図２】（ａ）第１実施形態のＩＣカードの概略構成を示す部分断面図、（ｂ）マイクロカプセルの模式断面図。
【図３】第２実施形態のＩＣカードの概略構成を示す部分断面図。
【図４】第３実施形態のＩＣカードの概略構成を示す部分断面図。
【図５】第４実施形態のＩＣカードの概略構成を示す部分断面図。
【図６】電子機器の一例を示す図。
【図７】電子機器の一例を示す図。
【図８】電子機器の一例を示す図。
【発明を実施するための形態】
【００２６】
以下、本発明の実施形態につき、図面を参照して説明する。なお、以下の説明に用いる各図面では、各部材を認識可能な大きさとするため、各部材の縮尺を適宜変更している。
【００２７】
［第１実施形態］
以下、本発明の電気泳動表示装置の一実施形態であるＩＣカードの構成について図を参照して説明する。図１は、ＩＣカードを示す分解斜視図である。
ＩＣカード１００（電気泳動表示装置）は、図１に示すように、電気泳動表示デバイス２（電気泳動表示素子）およびＩＣチップ３と、コアシート４と、カバーシート５（第１のカバーシート）及びカバーシート６（第２のカバーシート）とを備えており、これらを重ね合わせることにより形成される。
【００２８】
ＩＣチップ３は、各種演算を行うＣＰＵ、ＲＯＭ、ＲＡＭ、メモリ等を備えている。そして、ＣＰＵからの指令に基づいて、電気泳動表示デバイス２の表示部に所望の文字、数字或いは記号を表示させる。このＩＣチップ３は、外部装置と一定周波数の電波を受信・送信する非接触型ＩＣアンテナ９が形成された基材１０上に搭載されている。基材１０上には、各種配線の他、カード端末等の外部装置（不図示）との情報交換を行うインターフェイスとして外部装置と直接接触する接触用ＩＣ端子１１等も形成されている。接触用ＩＣ端子１１は、ＩＣチップ３の上面に、基材１０の上面に露出するように形成される。一方、非接触型ＩＣアンテナ９は、基材１０上にコイル状に形成される。
【００２９】
電気泳動表示デバイス２は、静止画や動画等の画像を表示する表示部７が設けられている。表示部７内にはマトリクス状に配列された複数の画素が設けられており、画素毎に表示が行われるようになっている。表示部７の周囲の領域は画像が表示されない非表示部８となっている。この非表示部８には画素が設けられておらず、不図示の駆動回路素子、端子などが設けられている。この電気泳動表示デバイス２はその表裏面を覆う一対の防湿フィルム１２，１３によって全体が封止されている。
【００３０】
コアシート４には、電気泳動表示デバイス２およびＩＣチップ３が収容される開口４ａ、４ｂが設けられており、カバーシート５，６の間に配置される。
【００３１】
カバーシート５，６は、電気泳動表示デバイス２およびＩＣチップ３と、コアシート４とを挟み込むようにして最も外側に配置される保護シートであって、ポリカーホネートやＰＥＴ等からなる。これらカバーシート５，６のうち、コアシート４上に配置されるカバーシート５は電気泳動表示デバイス２の画像表示面側であるため透明である必要があるが、カバーシート６は電気泳動表示デバイス２の画像表示面とは反対側に配置されるため透明なものでなくてもよい。
なお、カバーシート５には、接触用ＩＣ端子１１を露出させるための開口部５ａが設けられている。
【００３２】
なお、本実施形態では、接触用ＩＣ端子と非接触型ＩＣ用アンテナとを備えるコンビカード（デュアルインターフェイス）について説明するが、接触用ＩＣ端子のみを備える場合（ＩＳＯ７８１６参照）や、非接触型ＩＣ用アンテナのみを備える場合（ＩＳＯ１４４４３等参照）、或いは、接触用ＩＣチップと非接触用ＩＣチップを備えるハイブリッドカードであってもよい。
【００３３】
図２（ａ）は、本実施形態にかかるＩＣカード１００の概略構成を示す部分断面図、図２（ｂ）は、マイクロカプセルの模式断面図である。
本実施形態のＩＣカード１００は、図２（ａ）に示すように、一対の防湿フィルム１２，１３によって封止された電気泳動表示デバイス２がさらにカバーシート５，６によって二重封止された構成となっている。
電気泳動表示デバイス２は、透明基板１４（第１基板）と素子基板１５（第２基板）との間に複数のマイクロカプセル２０を配列してなる電気泳動層３１が挟持されて構成されている。
【００３４】
素子基板１５は、ガラスやプラスチック等からなる基板であり、画像表示面とは反対側に配置されるため透明なものでなくてもよい。素子基板１５の表面上には、不図示の選択トランジスタ、走査線、データ線などが形成された回路層（不図示）が形成されており、この回路層の最表層に画素電極３５が配列形成されている。画素電極３５は、ＭｇＡｇ、ＩＴＯ、ＩＺＯ（インジウム・亜鉛酸化物）などから形成された透明電極である。
本実施形態では、素子基板１５として、厚さ１００μｍの無アルカリガラスＡＮ１００（旭硝子社製）を用いている。
【００３５】
一方、透明基板１４は、ガラスやプラスチック等からなる基板であり、画像表示側に配置されるため透明基板とされる。透明基板１４の電気泳動層３１側には複数の画素電極３５と対向する共通電極（図示略）が形成されており、共通電極上に電気泳動層３１が設けられている。共通電極は、画素電極３５とともに電気泳動層３１に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
【００３６】
電気泳動層３１は、透明基板１４と、透明基板１４上に固定された複数のマイクロカプセル２０とにより電気泳動シートとして取り扱われるのが一般的である。製造工程において、電気泳動シートは接着層３３の表面に保護用の離型シートが貼り付けられた状態で取り扱われる。そして、別途製造された素子基板１５（画素電極３５や各種回路などが形成されている）に対して離型シートを剥がした電気泳動シートを貼り付けることによって表示部７が形成される。本実施形態における電気泳動層３１の厚さは約２３０μｍである。
【００３７】
マイクロカプセル２０は、図２（ｂ）に示すように、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、共通電極と画素電極３５とで挟持され、１つの画素４０内に１つ又は複数のマイクロカプセル２０が配置される。
【００３８】
マイクロカプセル２０の外殻部（壁膜）は、ポリメタクリル酸メチル、ポリメタクリル酸エチルなどのアクリル樹脂、ユリア樹脂、アラビアゴムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３９】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６および白色粒子２７に代えて、例えば赤色、緑色、青色などの顔料を用いてもよい。かかる構成によれば、表示部７に赤色、緑色、青色などを表示することができる。
【００４０】
このような構成の電気泳動表示デバイス２は、図２（ａ）に示すように一対の防湿フィルム１２，１３によって被覆され、その全体が封止されている。
【００４１】
防湿フィルム１２，１３は、電気泳動表示デバイス２の平面視における面積よりも大きい形状とされ、その周縁部１２ａ，１３ａが電気泳動表示デバイス２から張り出している。防湿フィルム１２（第１の防湿フィルム）は電気泳動表示デバイス２の画像表示面側であって透明基板１４の外面（電気泳動層３１とは反対側の面）上であって透明基板１４とカバーシート５との間に配置され、防湿フィルム１３（第２の防湿フィルム）は素子基板１５の外面（電気泳動層とは反対側の面）上であって素子基板１５とカバーシート６との間に配置され、各々が不図示の接着剤を介して各基板と貼り合わされている。
【００４２】
防湿フィルム１２，１３は、無機膜が形成された複数のフィルムが接着剤を介して積層されてなる多層フィルムタイプの防湿フィルムであって、例えば、シリカやアルミナ等の透明で且つ防湿性を有する無機膜をポリカーボネートやＰＥＴのような有機フィルムに形成することによって防湿性能を付加したフィルムを用いる。
【００４３】
防湿フィルム１２，１３は、これらの周縁部１２ａ，１３ａ同士がこれらの間に配置された接着層１７を介して貼り合わされている。接着層１７としては、例えばエチレンメタクリル酸共重合体ホットメルト剤等の熱可塑性接着材、エポキシ系接着剤のような熱硬化型接着材、あるいはアクリル系接着剤のようなＵＶ効果型接着材等が適宜選択される。
【００４４】
このような防湿フィルム１２，１３は真空ラミネート処理を行って貼り合わせることが好ましい。これにより空気等を内包させることなく隙間なく貼り合わせることができる。
【００４５】
電気泳動表示デバイス２は、防湿フィルム１２，１３によって封止された状態でコアシート４に形成された開口４ａ内に配置されている。開口４ａは、電気泳動表示デバイス２に対応した大きさで形成されている。なお、コアシート４の他方の開口４ｂ内にはＩＣチップ３が収容されている。
【００４６】
コアシート４の開口４ａ内に収容された電気泳動表示デバイス２は、コアシート４の表裏面側に配置された一対のカバーシート５，６によってさらに封止されている。この際、ＩＣカード１００の周縁の封止領域（非表示部８）において、防湿フィルム１２，１３の周縁部どうしが貼り合わされてなる封止部１６の一部あるいは全体をコアシート４及びカバーシート５，６と重畳させた状態で封止されている。本実施形態では、コアシート４とカバーシート５との間に封止部１６が配置されている。
【００４７】
カバーシート５は、電気泳動表示デバイス２の画像表示面側であって防湿フィルム１２上に配置され、カバーシート６は、電気泳動表示デバイス２の画像表示面とは反対の裏面側であって防湿フィルム１３上に配置され、防湿フィルム１２，１３によって封止された電気泳動表示デバイス２のさらなる封止および保護の役割を担う。
【００４８】
カバーシート５，６の材料として、ポリエチレンテレフタレート（ＰＥＴ）、ポリメタクリル酸メチル、ポリカーボネートなどが用いられる。少なくとも画像表示面側に配置されるカバーシート５は透光性を有するものを用いて構成される。
【００４９】
カバーシート５、コアシート４および封止部１６は接着剤層１８を介して貼り合わされている。また、カバーシート５、６と防湿フィルム１２、１３との対向面どうしは不図示の接着剤層を介して貼り合わされている。接着剤層としては上記接着剤層１８と同じ材料からなるものを用いてもいいし、別の接着材料を用いてもよい。また、接着剤層を介すことなく溶融接着されていてもよい。上述したように、カバーシート５，６と防湿フィルム１２，１３とを同じ材料あるいは融点が近い材料で構成することで、熱溶着によって直接接着させることが可能である。
なお、カバーシート６とコアシート４との貼り合わせにも上記接着剤層１８と同じ接着剤を用いることができる。
【００５０】
ここで、電気泳動表示デバイス２の封止に必要な封止幅Ｌ１は封止部１６端部からの水分の侵入を確実に防止し得る幅に適宜設定される。なお、封止幅Ｌ１とは、素子基板１５の周縁部に配置された画素電極３５の端部から防湿フィルム１２，１３の端部までの長さである。また、カード実装に必要な封止幅Ｌ２は、カバーシート５，６とコアシート４との間からの水分の浸入を防止し得る幅に設定される。
【００５１】
このようにして本実施形態のＩＣカード１００が構成されている。
【００５２】
本実施形態のＩＣカード１００は、防湿フィルム１２，１３と、カバーシート５，６およびコアシート４とによって電気泳動表示デバイス２を封止した多重封止構造とされている。
従来のＩＣカードの額縁幅Ｌは、電気泳動表示デバイスに対する防湿性を確保するために必要な封止幅Ｌ１と、カード実装において、電気泳動表示デバイスを内蔵して周辺を固定するために必要な封止幅Ｌ２（接着固定幅）とを足し合わせた幅であったため、狭額縁構造の実現は困難であった。
本実施形態では、電気泳動表示デバイス２をカード実装させる際に、防湿フィルム１２，１３の封止部１６とカバーシート５，６およびコアシート４とを平面視において互いに重畳させることにより狭額縁化を実現している。
これにより、限られた表示エリアの有効活用が要求されるＩＣカード等の商品においては額縁幅を狭くすることによって商品性を向上させることができる。
また、封止部がコアシート４とカバーシート５とで挟持されているため防湿フィルム１２，１３の剥離も防止され、防湿性も高まる。
したがって、電気泳動表示デバイス２に対する十分な防湿性を確保しつつ狭額縁化を実現し得るＩＣカード１００を提供することができる。
【００５３】
［第２実施形態］
次に、本発明の電気泳動表示装置にかかるＩＣカードの第２実施形態について述べる。
図３は、第２実施形態のＩＣカードの概略構成を示す部分断面図である。
図３に示すように、本実施形態のＩＣカード２００は先の実施形態と基本構成は同様であるが、封止構造において異なっている。
第１実施形態においては、防湿フィルム１２，１３の封止部１６を電気泳動表示デバイス２の透明基板１４側、つまりカバーシート５側においてコアシート４と重畳させた構造となっていたが、本実施形態においては、電気泳動表示デバイス２の素子基板１５側、つまりカバーシート６側においてコアシート４と重畳させた構成となっている。
【００５４】
このように、防湿フィルム１２，１３の周縁部１２ａ，１３ａどうしを貼り合わせてなる封止部１６をコアシート４とカバーシート６との間に配置した構成とすることにより、上記実施形態と同様の封止効果が得られるとともに狭額縁構造とすることができる。
また、製造時にカバーシート６上に電気泳動表示デバイス２を先に配置してからコアシートを配置することができるので、コアシート４で封止部１６をある程度固定した状態でカバーシート５を配置して封止することができる。これにより、封止部１６の浮きが防止されて封止作業を円滑かつ容易に行える。
また、封止部１６を電気泳動表示デバイス２の裏面側に配置することで、貼り合わせに使用した接着剤が表示領域側にはみ出して表示に影響を及ぼすおそれがない。
【００５５】
［第３実施形態］
次に、本発明にかかる電気泳動表示装置にかかるＩＣカードの第３実施形態について述べる。
図４は、第３実施形態のＩＣカードの概略構成を示す部分断面図である。
図４に示すように、本実施形態のＩＣカード３００は、第２実施形態において使用されていたカバーシート６側の防湿フィルム１３が省略された構成となっている。
【００５６】
本実施形態のＩＣカード３００は、カバーシート６上に載置された電気泳動表示デバイス２が１枚の防湿フィルム１２とカバーシート６とによって封止されている。防湿フィルム１２は、非表示部８においてその周縁部１２ａがカバーシート６上に直接ラミネートされている。防湿フィルム１２とカバーシート６とは同質の材料あるいは融点の近い材料によって構成されていることから、接着剤を用いることなく、双方を熱溶融させることにより溶着させることができる。
【００５７】
ここで、電気泳動表示デバイス２は、ガラス基板からなる素子基板１５と透明基板１４との間に電気泳動層３１が挟持されてなるものであることから、ガラス基板からなる素子基板１５は防湿性がそもそも高い構成となっている。このため、素子基板１５側の防湿フィルムを省いたとしても十分な防湿性が確保される。また、電気泳動表示デバイス２の周囲は防湿フィルム１２によって覆われているため、側方における防湿性も防湿フィルム１２によって十分に確保可能である。
また、素子基板１５の側面と防湿フィルム１２とが密着していることが好ましい。この構成によれば、電気泳動層３１が防湿性を有する素子基板１５及び防湿フィルム１２によって密閉されるため、外部からの水分がカバーシート６を透過した場合であっても、水分が電気泳動層３１に浸入するのを防止することができる。
【００５８】
コアシート４は、開口４ａ内に電気泳動表示デバイス２を収容させるとともに、防湿フィルム１２とカバーシート６との封止部１９上に重なるように配置される。このコアシート４とカバーシート６とは、防湿フィルム１２の周縁部１２ａを挟み込むようにして、相互間に配置された接着剤層１８を介して貼り合わされている。
【００５９】
本実施形態の構成によれば、１枚の防湿フィルム１２とカバーシート６とによって電気泳動表示デバイス２の封止が可能である。部材同士の貼り合わせ箇所が少なくなることで防湿性がより一層高まる。さらに、部品点数の削減に伴いコスト削減が図れるとともに、防湿フィルム１２，１３同士の封止工程を削減できるため製造も容易になる。
【００６０】
［第４実施形態］
次に、本発明にかかる電気泳動表示装置にかかるＩＣカードの第４実施形態について述べる。
図５は、第４実施形態のＩＣカードの概略構成を示す部分断面図である。
図５に示すように、本実施形態のＩＣカード４００は、その厚さ方向に積層された一対のコア材５４ａ，５４ａからなるコアシート５４を備えている。コア材５４ａ，５４ａは、互いに同形状をなし、平面視における外形の大きさはカバーシート５，６の外形の大きさに等しい。これらコア材５４ａ，５４ａは、各々に形成された開口４ａ，４ａどうしが基板面方向で一致するように互いに積層させた状態でカバーシート６上に配置されている。そして、各開口４ａ，４ａ内に電気泳動表示デバイス２が収容されている。
そして、これらコア材５４ａ，５４ａの間に防湿フィルム１２，１３の封止部１６の全部又は一部が配置され、接着剤層１８によってコア材５４ａ，５４ａどうしが接着されている。
【００６１】
本実施形態の構成によれば、先の実施形態と同様の防湿効果が得られるとともに狭額縁構造とすることが可能である。また、ＩＣカード４００を湾曲させた場合に、カバーシート５，６とコアシート５４どうしの境界部分、さらにコア材５４ａ，５４ａと防湿フィルム１２，１３の封止部１６との境界部分にせん断応力がかかりにくくなり、これら部材同士の接合部分に剥離等が生じることが防止される。これにより、ＩＣカード４００の耐久性が向上して電気泳動表示デバイス２に対する防湿性を長期的に確保できる。
【００６２】
（電子機器）
次に、上記実施形態の電気泳動装置（ＩＣカード１００，２００，３００，４００）を、電子機器に適用した場合について説明する。
図６は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００６３】
図７は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感および柔軟性を有する書き換え可能なシートからなる本体１１０２を備えて構成されている。
【００６４】
図８は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６５】
以上の腕時計１０００、電子ペーパー１１００、および電子ノート１２００によれば、本発明に係る電気泳動装置が採用されているので、防湿性および耐久性に優れ、信頼性の高い表示部を備えた電子機器となる。また、狭額縁化とされた電気泳動表示装置を備えているので、視認性の良好な表示部を備えた電子機器となる。
【００６６】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【００６７】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００６８】
１００，２００，３００，４００…ＩＣカード（電気泳動表示装置）、２  電気泳動表示デバイス（電気泳動素子）３  ＩＣチップ、４，５４  コアシート、４ａ  開口、４ｂ  開口、５、６  カバーシート、５ａ  開口部、７  表示部、８  非表示部、９  非接触型ＩＣアンテナ、Ｌ  額縁幅、１０  基材
１１  接触用ＩＣ端子、１２  防湿フィルム（第１の防湿フィルム）、１２ａ  周縁部、１３  防湿フィルム（第２の防湿フィルム）、１４  透明基板（第１基板）、１５  素子基板（第２基板）、１６，１９  封止部、１７  接着層、１８  接着剤層、３１  電気泳動層、３５  画素電極、４０  画素、５４ａ  コア材、Ｌ１  ＥＰＤ封止幅、Ｌ２  カード封止幅、１０００  腕時計、１１００  電子ペーパー（電子機器）、１２００  電子ノート（電子機器）
【図１】
2011158702.tif 000003
【図２】
2011158702.tif 000004
【図３】
2011158702.tif 000005
【図４】
2011158702.tif 000006
【図５】
2011158702.tif 000007
【図６】
2011158702.tif 000008
【図７】
2011158702.tif 000009
【図８】
2011158702.tif 000010